(57)【要約】【課題】少なくとも一つの面に平坦な取付面を有する棒状の取付部材にケーブルブラケットを固定するものであって、ケーブルブラケットに形成された一対の取付孔の間隔に係わらず、また、取付部材が既設であっても新設であっても、ケーブルブラケットを固定することができるようにしたケーブルブラケットの固定治具を提供する。【解決手段】取付部材１及び取付部材１の取付面１ａに宛がわれた前記ケーブルブラケット１００の基板部１１０を囲繞し、かつ、ケーブルブラケット１００の庇部１２０を嵌めるスリット部１１を設けた筒体１０と、前記基板部１１０を取付部材１の取付面１ａに押圧するための押圧手段２０とが備えられている。前記押圧手段２０は、前記筒体１０に形成された雌ネジ２１と、該雌ネジ２１に螺合し、かつ、先端が前記ケーブルブラケット１００の基板部１１０に接離する雄ネジ２２とを備えている。【選択図】図１
2010158139.tif 000002
【特許請求の範囲】
【請求項１】
平板状の基板部と、該基板部の一方の側縁に突設された庇部と、該庇部の先端に設けられ、かつ、ケーブルを保持するための保持部とを備えているケーブルブラケットを、少なくとも一つの面に平坦な取付面を設けた棒状の取付部材に固定するケーブルブラケットの固定治具であって、
前記取付部材及び取付部材の取付面に宛がわれた前記ケーブルブラケットの基板部を囲繞し、かつ、ケーブルブラケットの庇部を嵌めるスリット部を設けた筒体と、前記基板部を取付部材の取付面に押圧するための押圧手段とが備えられていることを特徴とするケーブルブラケットの固定治具。
【請求項２】
前記押圧手段は、前記筒体に形成された雌ネジと、該雌ネジに螺合し、かつ、先端が前記ケーブルブラケットの基板部に接離する雄ネジとを備えていることを特徴とする請求項１に記載のケーブルブラケットの固定治具。
【請求項３】
前記筒体は、前記取付部材に宛がわれているケーブルブラケットの基端部との間に空間部を設ける幅に形成され、
前記押圧手段は、前記空間部内で前記雄ネジの先端に設けられた平板状の拡径部を備えていることを特徴とする請求項２に記載のケーブルブラケットの固定治具。
【請求項４】
前記筒体は、半割りに形成された側面形状コ字形のメンバを一対組合せ、両メンバが締結手段によって一体化可能とされていることを特徴とする請求項１ないし３のいずれか一項に記載のケーブルブラケットの固定治具。
【請求項５】
前記ケーブルブラケットの庇部の外面に突出したネジの頭部を収容する凹部が前記筒体の内面に形成されていることを特徴とする請求項１ないし４のいずれか一項に記載のケーブルブラケットの固定治具。
【発明の詳細な説明】
【技術分野】
【０００１】
本発明は、すくなくとも一つの面に平坦な取付面を設けた棒状の取付部材にケーブルブラケットを固定するためのケーブルブラケットの固定治具に関する。このケーブルブラケットは、取付部材の取付面に宛がわれる平板状の基板部と、この基板部の一方の側縁に突設された庇部と、この庇部の先端に設けられ、かつ、ケーブルを保持するための保持部とを備えている。
【背景技術】
【０００２】
キュービクル（変電設備）内や鉄塔に沿うように配線された電線などのケーブルは、ケーブルブラケットに保持される。そして、ケーブルブラケットは、棒状の取付部材に設けられた平坦な取付面に固定される。
【０００３】
例えば、図６に示すように、ケーブルブラケット１００は、棒状の取付部材の取付面（図６において図示せず）に宛がわれる平板状の基板部１１０と、この基板部１１０の一方の側縁（通常の使用状態において上端）にハ字形に突設された庇部１２０と、この庇部１２０の先端に設けられ、かつ、ケーブル（図示せず）を保持するための保持部１３０と、基板部１１０の中心部と庇部１２０の中心部の内側面間に設けられた補強部１４０とを備えている。このケーブルブラケット１００の基板部１１０には一対の取付孔１１１，１１１が形成されている。
【０００４】
また、保持部１３０は、庇部１２０に連設された半円状の受部１３１と、この受部１３１に接離する半円状の押部１３２とを備え、受部１３１と押部１３２とが合わされて、ケーブルを保持する筒形に形成される。なお、受部１３１と押部１３２とには、フランジ１３１ａ，１３２ａが設けられ、このフランジ１３１ａ，１３２ａに連通穴１３１ｂ，１３２ｂが設けられ、この連通穴１３１ｂ,１３２ｂにボルト（図示せず）が挿通され、締結されることによって受部１３１と押部１３２とを一体化した保持部１３０が形成される。
【０００５】
このケーブルブラケット１００は、基板部１１０が取付部材の取付面に宛がわれ、基板部１１０の取付孔１１１と取付部材の取付面に形成された取付孔とが位置合わせされ、基板部１１０の取付孔１１１と取付部材の取付孔とにボルト（図示せず）が挿通され、締結されることによって固定される。
【０００６】
このようなケーブルブラケット１００は、ケーブルのサイズや心数などによって種々のサイズのものが提供されており、それぞれ、保持部１３０の内径や基板部１１０の一対の取付孔の間隔が異なって形成されている。ところが、非常事態において、ケーブルを緊急に配線しなければならない場合がある。このような場合、ケーブルのサイズや心数に適したケーブルブラケット１００が用意されていなかったり、取付部材の取付面に形成された取付孔の間隔に一致したケーブルブラケット１００を用意することができなかったりすることがある。
【０００７】
そこで、基板部１１０の一対の取付孔１１１，１１１の間隔に係わらず、ケーブルブラケット１００を固定することができるようにした配線ケーブル支持構造が特許文献１に開示されている。
【０００８】
この配線ケーブルの支持構造は、図７に示すように、並列状に離間して立設された一対のベース部材２１０，２１０と、このベース部材２１０，２１０のそれぞれに取り付けられた取付金具２２０，２２０と、この取付金具２２０，２２０に取り付けられ、かつ、前記ベース部材２１０，２１０間に架設されたケーブルブラケット取付台２３０と、このケーブルブラケット取付台２３０に取り付けられるケーブルブラケット１００とを備えている。
【０００９】
ベース部材２１０には、多数の取付孔２１１，２１１，…が長手方向に形成されている。また、取付金具２２０は、後向き辺部２２１と内向き辺部２２２とをＬ字形に一体成形したもので、各辺部２２１，２２２に前記ベース部材２１０の取付孔と同じピッチの取付孔２２３，２２３，…が形成されている。ケーブルブラケット取付台２３０は、各取付金具２２０，２２０に取り付けられる一対の平行な外向き辺部２３１，２３１とこの外向き辺部２３１，２３１間に架け渡されたブラケット取付面部２３２とによってコ字形に形成され、それぞれ２３１，２３１，２３２に長孔状の取付孔２３３，２３３，…が形成されている。
【００１０】
この配線ケーブルの支持構造は、各取付孔２１１，２２３，２３３がボルトとナット（ともに図示せず）によって連結される。そして、ケーブルブラケット１００の一対の取付孔１１１，１１１の間隔が異なっていても、ブラケット取付面部２３２に形成された取付孔２３３が長孔状とされていることにより、一対の取付孔１１１，１１１の間隔に係わりなくケーブルブラケット１００をケーブルブラケット取付台２３０に取り付けられるようにされている。
【先行技術文献】
【特許文献】
【００１１】
【特許文献１】実開平５−２５２９号公報
【発明の概要】
【発明が解決しようとする課題】
【００１２】
特許文献１に開示された配線ケーブルの支持構造は、ケーブルブラケット取付台２３０に形成された長尺状の取付孔２３３，２３３，…にケーブルブラケット１００を固定するものであるため、新しく設置する場合、又はブラケット取付面部２３２を交換することによって実施することができる。すなわち、長孔状の取付孔２３３，２３３，…を形成していない既設の取付部材では、一対の取付孔１１１，１１１の間隔が異なる各種のケーブルブラケット１００を固定することができない。
【００１３】
さらに、特許文献１に開示されたケーブルブラケット取付台２３０は、長孔状の取付孔２３３，２３３，…が形成されることによって、強度が低下するものとなる。
【００１４】
そこで、本発明は、少なくとも一つの面に平坦な取付面を設けた棒状の取付部材にケーブルブラケットを固定するものであって、ケーブルブラケットに形成された一対の取付孔の間隔に係わらず、また、取付部材が既設であっても新設であっても、ケーブルブラケットを固定することができるようにしたケーブルブラケットの固定治具を提供することを課題とする。
【課題を解決するための手段】
【００１５】
本発明に係るケーブルブラケットの固定治具は、平板状の基板部と、該基板部の一方の側縁に突設された庇部と、該庇部の先端に設けられ、かつ、ケーブルを保持するための保持部とを備えているケーブルブラケットを、少なくとも一つの面に平坦な取付面を設けた棒状の取付部材に固定するケーブルブラケットの固定治具であって、前記取付部材及び取付部材の取付面に宛がわれた前記ケーブルブラケットの基板部を囲繞し、かつ、ケーブルブラケットの庇部を嵌めるスリット部を設けた筒体と、前記基板部を取付部材の取付面に押圧するための押圧手段とが備えられていることを特徴としている。
【００１６】
このケーブルブラケットの固定治具は、取付部材及び取付部材の取付面に宛がわれた前記ケーブルブラケットの基板部の各端部を筒体が囲繞するもので、２個一組で使用される。このケーブルブラケットの固定治具は、ケーブルブラケットの基板部の一方の側縁に突設された庇部が筒体に設けられたスリット部内に嵌められることにより、筒体が取付部材の取付面に宛がわれた基板部の端部を囲繞し、押圧手段が基板部を取付部材の取付面に押圧することによって、新設だけでなく、既設の取付部材にもケーブルブラケットを固定することができる。
【００１７】
また、前記本発明に係るケーブルブラケットの固定治具において、前記押圧手段は、前記筒体に形成された雌ネジと、該雌ネジに螺合し、かつ、先端が前記ケーブルブラケットの基板部に接離する雄ネジとを備えていることが好ましい。
【００１８】
このケーブルブラケットの固定治具によれば、押圧手段が筒体に形成された雌ネジとこの雌ネジに螺合する雄ネジとを備え、雄ネジの先端部が基板部に接離することから、雄ネジが締め付けられることにより、雄ネジの先端部がケーブルブラケットの基板部を取付部材の取付面に当接して押圧する。押圧手段が雌ネジと雄ネジとによって構成されることにより、極めて簡易な構成でありながら、ケーブルブラケットの基板部を取付部材の取付面に強く押圧させることができる。
【００１９】
また、前記本発明係るケーブルブラケットの固定治具において、前記筒体は、前記取付部材に宛がわれているケーブルブラケットの基端部との間に空間部を設ける幅に形成され、前記押圧手段は、前記空間部内で前記雄ネジの先端に設けられた平板状の拡径部を備えていることが好ましい。
【００２０】
このケーブルブラケットの固定治具によれば、押圧手段に平板状の拡径部が備えられていることにより、ケーブルブラケットの基板部は雄ネジの外径よりも広い面で押圧される。
【００２１】
また、前記本発明係るケーブルブラケットの固定治具において、前記筒体は、半割りに形成された側面形状コ字形のメンバを一対組合せ、両メンバが締結手段によって一体化可能とされていてもよい。
【００２２】
このケーブルブラケットの固定治具によれば、筒体が半割りに形成された側面形状コ字形のメンバが一対組み合わされることにより、筒体を取付部材の端部で囲繞し、ケーブルブラケットの固定位置まで移動させることなく、筒体をケーブルブラケットの固定位置において取付部材とケーブルブラケットの基板部とを囲繞することができる。
【００２３】
また、前記本発明係るケーブルブラケットの固定治具において、前記ケーブルブラケットの庇部の外面に突出したネジの頭部を収容する凹部が前記筒体の内面に形成されていてもよい。
【００２４】
このケーブルブラケットの固定治具によれば、筒体の内面に凹部が形成され、ケーブルブラケットの庇部の外面に突出したネジの頭部が凹部内に収容されることにより、ネジの頭部が筒体の囲繞に邪魔にならないように、筒体の内面をケーブルブラケットの庇部に近接させ、両者間に空間部が設けられないようにすることができる。
【発明の効果】
【００２５】
本発明によれば、前記取付部材及び取付部材の取付面に宛がわれたケーブルブラケットの基板部を囲繞する筒体と、前記基板部を取付部材の取付面に押圧するための押圧手段と備えたケーブルブラケットの固定治具が提供されることにより、一対の取付孔の間隔が異なっているケーブルブラケットを新設だけでなく、既設の取付部材にも固定することができる。
【図面の簡単な説明】
【００２６】
【図１】本発明に係るケーブルブラケットの固定治具の第１の実施形態を示す斜視図である。
【図２】本発明に係るケーブルブラケットの固定治具の第１の実施形態を示す一部断面側面図である。
【図３】本発明に係るケーブルブラケットの固定治具の第１の実施形態を示す一部断面底面図である。
【図４】本発明に係るケーブルブラケットの固定治具の第２の実施形態を示す一部断面側面図である。
【図５】本発明に係るケーブルブラケットの固定治具の第３の実施形態を示す一部断面側面図である。
【図６】ケーブルブラケットの斜視図である。
【図７】従来の配線ケーブル支持構造を示す斜視図である。
【発明を実施するための形態】
【００２７】
本発明に係るケーブルブラケットの固定治具（以下、主として「固定治具」という。）の基本的な実施の形態について図１ないし図３を参照しながら説明する。ただし、従来と同一部分は、同一符号を付して説明する。
【００２８】
この固定治具は、既設又は新設の棒状の取付部材１にケーブルブラケット１００を固定するためのもので、筒体１０と押圧手段２０とを備えている。なお、取付部材１は、側面視が図示したようなコ字形の他、口字形、Ｈ字形、あるいは中実であってもよいが、少なくとも一つの面が平坦な取付面１ａとされている。この取付部材１の取付面１ａにケーブルブラケット１００の基板部１１０が宛がわれる。
【００２９】
そして、筒体１０は、取付部材１及び取付部材１の取付面１ａに宛がわれたケーブルブラケット１００の基板部１１０を囲繞する角筒形状に形成されている。ただし、ケーブルブラケット１００には、基板部１１０の中心部と庇部１２０の中心部の内側面に補強部１４０が備えられ、また、庇部１２０の先端に保持部１３０が備えられていることから、筒体１０は、基板部１１０の各端部をそれぞれ囲繞するように２個一組で使用される。
【００３０】
そして、筒体１０の一方（図面において上下方向）の内法は、図２に示すように、取付部材１の一方の幅よりも若干長く、隙間２が生じるようにされている。また、筒体１０の他方（図面において左右方向）の内法は、図２及び図３に示すように、取付部材１の他方の幅とケーブルブラケット１００の基板部１１０の厚さとを加算した寸法よりも大きく、筒体１０と基板部１１０との間に空間部３が設けられている。
【００３１】
そして、ケーブルブラケット１００は、基板部１１０の一方の側縁（通常の使用状態において上端）に庇部１２０がハ字形に突設されていることから、筒体１０には、ケーブルブラケット１００の庇部１２０を嵌めるスリット部１１が設けられている。このスリット部１１は、当然に庇部１２０の厚さよりも広い幅に設けられ、また、嵌められた庇部１２０の長さよりも深く形成されている。
【００３２】
そして、押圧手段２０は、筒体１０に形成された雌ネジ２１と、この雌ネジ２１に螺合する雄ネジ２２と、この雄ネジ２２の先端部に設けられた平板状の拡径部２３とを備えている。雌ネジ２１は、前記スリット部１１を設けた側に形成される。また、雄ネジ２２の先端部に設けられた拡径部２３は、前記空間部３内に配置される。この拡径部２３は、雄ネジ２２が締められたときに、基板部１１０を押圧するもので、雄ネジ２２が回されたときに、共回りしない方が好ましく、また、雄ネジ２２が緩められても、雄ネジ２２と拡径部２３とが分離せず、雄ネジ２２が雌ネジ２１から外れないように接続されている。
【００３３】
ここで、この固定治具によってケーブルブラケット１００を取付部材１に固定する方法について説明する。まず、固定治具の筒体１０を取付部材１の各端部において囲繞し、ケーブルブラケット１００を固定する部位の方へスライドさせる。筒体１０と取付部材１との間には、隙間２と空間部３とが設けられていることにより、筒体１０は、取付部材１を囲繞した状態でスムーズに移動する。そして、ケーブルブラケット１００の基板部１１０を取付部材１の取付面１ａに宛がい、固定治具の２個の筒体１０，１０のそれぞれが取付部材１とケーブルブラケット１００の基板部１１０の各端部とを囲繞するように位置させる。
【００３４】
このとき、ケーブルブラケット１００の庇部１２０が筒体１０のスリット部１１内に嵌り込む。また、押圧部材の拡径部２３がケーブルブラケット１００の基板部１１０と筒体１０との間の空間部３に位置する。なお、拡径部２３は、基板部１１０に形成された取付１１１孔と対峙していても、していなくてもよい。
【００３５】
そして、雄ネジ２２を締めることにより、拡径部２３を前進させ、拡径部２３が基板部１１０を押圧し、基板部１１０と取付部材１の取付面１ａとを圧着させる。押圧手段２０が雌ネジ２１と雄ネジ２２とによって構成されることにより、雄ネジ２２を締めるだけで、拡径部２３が基板部１１０を強く押圧することができる。したがって、ケーブルブラケット１００が取付部材１に強固に固定される。このように、ケーブルブラケット１００は、基板部１１０に形成された取付孔１１１によって取付部材１に固定されないため、基板部１１０に形成された一対の取付孔１１１，１１１の間隔に係わりなく、固定治具によって取付部材１に固定することができる。
【００３６】
ケーブルブラケット１００が緊急用として一時的に使用される場合は、使用後において、雄ネジ２２を緩めることにより、拡径部２３を基板部１１０から離間する。すると、基板部１１０と取付部材１とが圧着されなくなるため、固定治具を取付部材１の各端部の方へスライドさせ、取付部材１から取り外し、また、ケーブルブラケット１００を取付部材１から外すことができる。
【００３７】
なお、本発明の固定治具は、前記の基本的な実施の形態に限定することなく、種々変更することができる。例えば、筒体１０は、図４に示すように、半割りに形成された側面形状コ字形のメンバ１２，１２を一対組み合わせたものとすることができる。メンバ１２，１２の両端には、外向きのフランジ１２ａ，１２ａが設けられ、各フランジ１２ａ，１２ａに連通孔１２ｂ，１２ｂが形成され、連通孔１２ｂ，１２ｂにボルト１３ａが挿通され、ナット１３ｂによって締結されることにより、すなわち、締結手段１３a，１３ｂによって一体化することができるようにされている。
【００３８】
この固定治具においても、前記の基本的な実施の形態において説明したスリット部１１や押圧手段２０などが備えられている。しかし、この固定治具は、筒体１０が半割りに形成されていることから、ケーブルブラケット１００を固定するに際して、取付部材１の端部から囲繞してスライドさせなくてよい。すなわち、この固定治具は、離間したメンバ１２，１２がケーブルブラケット１００を固定する部位で取付部材１を挟み、そして、各メンバ１２，１２のフランジ１２ａ，１２ａを重ね合わせ、連通孔１２ｂ，１２ｂに挿通されたボルト１３ａとナット１３ｂによって締結することにより、筒体１０を形成する。その後、前記の基本的な実施の形態と同様に、押圧手段２０によってケーブルブラケット１００を取付部材１に固定する。
【００３９】
また、ケーブルブラケット１００の庇部１２０には、ネジ孔１２１が形成され、このネジ孔１２１にアース線を接続するネジ１２２が取り付けられ、このネジ１２２の頭部１２２ａが庇部１２０の外面に突出している場合がある。このような場合において、庇部１２０の外面と筒体１０の内面との間隔をわずかにするため、図５に示すように筒体１０の内面に凹部１４を形成していてもよい。この凹部１４は、筒体１０をスライドさせて、ケーブルブラケット１００の基板部１１０を囲繞することができるようにするため、溝状に形成されている。
【００４０】
また、前記の固定治具は、コ字形の取付部材１に固定するようにされているため、押圧手段２０がスリット部１１を設けた面に備えられているが、口字形又はＨ字形の取付部材１に固定する場合は、スリット部１１を設けた面に対峙する面に押圧手段２０を設けてもよい。
【００４１】
さらに、押圧手段２０は、雄ネジ２２の先端部に拡径部２３を設けていないものとしてもよい。この場合は、筒体１０と基板部１１０との間に空間部３が設けられない大きさの筒体１０とすることができる。また、押圧手段２０は、雌ネジ２１と雄ネジ２２でなく、基板部１１０と筒体１０との間に打込む楔によって構成してもよい。
【符号の説明】
【００４２】
１…………取付部材
１ａ………取付面
３…………空間部
１０………筒体
１１………スリット部
１２………メンバ
１３ａ……ボルト（締結手段）
１３ｂ……ナット（締結手段）
１４………凹部
２０………押圧手段
２１………雌ネジ
２２………雄ネジ
２３………拡径部
１００……ケーブルブラケット
１１０……基板部
１２０……庇部
１２２……ネジ
１２２ａ…頭部
【図１】
2010158139.tif 000003
【図２】
2010158139.tif 000004
【図３】
2010158139.tif 000005
【図４】
2010158139.tif 000006
【図５】
2010158139.tif 000007
【図６】
2010158139.tif 000008
【図７】
2010158139.tif 000009